(57)【要約】【課題】搬送部材上に吸着された記録媒体の搬送方向端部が乾燥風により捲れることを抑制できる搬送装置及び画像形成装置を提供する。【解決手段】搬送装置７０は、用紙Ｐを吸着して搬送する搬送ベルト７２と、搬送ベルト７２上に吸着された用紙Ｐの記録面に風を吹き付けて乾燥させるインク乾燥ユニット９０と、を備えている。さらに、搬送ベルト７２には、搬送ベルト７２上に吸着した用紙Ｐの搬送方向の少なくとも一方の端部を覆い、風を遮る風除けガイド８０が設けられている。【選択図】図３
2014040053.tif 000002
【特許請求の範囲】
【請求項１】
記録媒体を吸着して搬送する搬送部材と、
前記搬送部材上に吸着された記録媒体の記録面に風を吹き付けて乾燥させる乾燥手段と、
前記搬送部材に設けられ、前記搬送部材上に吸着した記録媒体の搬送方向の少なくとも一方の端部を覆い、前記風を遮る風除けガイドと、
を有する搬送装置。
【請求項２】
前記風除けガイドを前記記録媒体の搬送方向の前記端部の位置に対して搬送方向に移動させて、前記記録媒体の前記端部を覆う位置と、覆わない位置とに位置させる移動手段を有する請求項１に記載の搬送装置。
【請求項３】
前記乾燥手段は、前記記録媒体の搬送方向上流側に向かって前記風を吹き付ける吹出口を備え、
前記風除けガイドは、前記記録媒体の搬送方向の先端部を覆うように設けられている請求項１又は請求項２に記載の搬送装置。
【請求項４】
前記乾燥手段は、前記記録媒体の搬送方向下流側に向かって前記風を吹き付ける吹出口を備え、
前記風除けガイドは、前記記録媒体の搬送方向の後端部を覆うように設けられており、
前記記録媒体の搬送方向の長さに基づき、前記記録媒体の後端部の位置に前記前記風除けガイドを合わせるように前記搬送部材の移動位置を制御する制御手段を有する請求項１又は請求項２に記載の搬送装置。
【請求項５】
前記移動手段は、前記搬送部材上に前記記録媒体を供給する位置と、前記搬送部材上から前記記録媒体を排出する位置で、前記記録媒体の搬送方向の前記端部と干渉しない位置に前記風除けガイドを移動させる請求項２から請求項４までのいずれか１項に記載の搬送装置。
【請求項６】
前記風除けガイドは、一端が前記搬送部材に取り付けられ、他端が前記搬送部材から立ち上がった構成とされている請求項１から請求項５までのいずれか１項に記載の搬送装置。
【請求項７】
前記風除けガイドは、前記搬送部材の幅方向に沿って複数設けられている請求項１から請求項６までのいずれか１項に記載の搬送装置。
【請求項８】
前記風除けガイドは、前記搬送部材の幅方向の全域に設けられている請求項１から請求項６までのいずれか１項に記載の搬送装置。
【請求項９】
前記風除けガイドは、前記記録媒体が前記搬送部材に受け取られる間隔に合わせて複数設けられている請求項１から請求項８までのいずれか１項に記載の搬送装置。
【請求項１０】
前記風除けガイドの先端が、側面視にて前記記録媒体の前記端部に対応する位置に配置されると共に、前記乾燥手段により吹き付けられる前記風と前記記録媒体の前記端部との間に介在されている請求項１から請求項９までのいずれか１項に記載の搬送装置。
【請求項１１】
前記記録媒体の表面にインクを吐出する吐出ヘッドと、
前記吐出ヘッドより前記記録媒体の搬送方向下流側に設けられる請求項１から請求項１０までのいずれか１項に記載の搬送装置と、
を有する画像形成装置。
【発明の詳細な説明】
【技術分野】
【０００１】
本発明は搬送装置及び画像形成装置に関する。
【背景技術】
【０００２】
下記特許文献１には、乾燥部の入口で用紙の搬送方向下流側に乾燥風を吹き付けると共に、乾燥部の出口で用紙の搬送方向上流側に乾燥風を吹き付ける装置が開示されている。この装置では、乾燥部の入口と出口で乾燥風の吹き付け方向を変えることで、乾燥部の入口での用紙の先端の捲れ（剥離）と、乾燥部の出口での用紙の後端の捲れ（剥離）を防止するようにしている。
【先行技術文献】
【特許文献】
【０００３】
【特許文献１】特開２０１０−１５８８３９号公報
【発明の概要】
【発明が解決しようとする課題】
【０００４】
しかし上記の特許文献１に記載の装置では、乾燥部の入口と出口の間の中央部では用紙の先端及び後端の捲れを防ぐことができないため、乾燥風の風速を十分に高めることができない。
【０００５】
本発明は上記事実を考慮し、搬送部材上に吸着された記録媒体の搬送方向端部が乾燥風により捲れることを抑制できる搬送装置及び画像形成装置を提供することを課題とする。
【課題を解決するための手段】
【０００６】
請求項１に記載の発明に係る搬送装置は、記録媒体を吸着して搬送する搬送部材と、前記搬送部材上に吸着された記録媒体の記録面に風を吹き付けて乾燥させる乾燥手段と、前記搬送部材に設けられ、前記搬送部材上に吸着した記録媒体の搬送方向の少なくとも一方の端部を覆い、前記風を遮る風除けガイドと、を有する。
【０００７】
上記の発明によれば、搬送部材上に吸着され搬送されている記録媒体の記録面に乾燥手段から風を吹き付けることにより乾燥される。搬送部材には、搬送部材上に吸着した記録媒体の搬送方向の少なくとも一方の端部を覆う風除けガイドが設けられており、風除けガイドによって記録媒体の端部に向かう風が遮られる。これにより、記録媒体の端部が風によって搬送部材から捲れる（剥離する）ことが抑制される。
【０００８】
請求項２に記載の発明は、請求項１に記載の搬送装置において、前記風除けガイドを前記記録媒体の搬送方向の前記端部の位置に対して搬送方向に移動させて、前記記録媒体の前記端部を覆う位置と、覆わない位置とに位置させる移動手段を有する。
【０００９】
上記の発明によれば、移動手段によって、記録媒体の搬送方向の端部の位置に対して風除けガイドを搬送方向に移動させることで、風除けガイドを記録媒体の端部を覆う位置と、覆わない位置とに位置させる。これによって、記録媒体が乾燥手段との対向部を搬送される際に、風除けガイドを記録媒体の端部のより奥側の位置まで移動させることができる。このため、風除け面積が大きくなり、記録媒体の端部が搬送部材上から捲れるのをより効果的に抑制することができる。
【００１０】
請求項３に記載の発明は、請求項１又は請求項２に記載の搬送装置において、前記乾燥手段は、前記記録媒体の搬送方向上流側に向かって前記風を吹き付ける吹出口を備え、前記風除けガイドは、前記記録媒体の搬送方向の先端部を覆うように設けられている。
【００１１】
上記の発明によれば、乾燥手段の吹出口から記録媒体の搬送方向上流側に向かって風が吹き付けられる。その際、風除けガイドは、記録媒体の先端部を覆うように設けられており、記録媒体の先端部に向かう風が遮られる。このため、搬送方向上流側に向かって吹き付けられる風によって記録媒体の先端部が搬送部材から捲れるのを抑制することができる。
【００１２】
請求項４に記載の発明は、請求項１又は請求項２に記載の搬送装置において、前記乾燥手段は、前記記録媒体の搬送方向下流側に向かって前記風を吹き付ける吹出口を備え、前記風除けガイドは、前記記録媒体の搬送方向の後端部を覆うように設けられており、前記記録媒体の搬送方向の長さに基づき、前記記録媒体の後端部の位置に前記前記風除けガイドを合わせるように前記搬送部材の移動位置を制御する制御手段を有する。
【００１３】
上記の発明によれば、乾燥手段の吹出口から記録媒体の搬送方向下流側に向かって風が吹き付けられる。また、制御手段によって、記録媒体の搬送方向の長さに基づき、記録媒体の後端部の位置に風除けガイドが合うように搬送部材の移動位置が制御される。これによって、風除けガイドは、記録媒体の後端部を覆い、風を遮るように配置される。このため、搬送方向下流側に向かって吹き付けられる風によって記録媒体の後端部が搬送部材から捲れるのを抑制することができる。
【００１４】
請求項５に記載の発明は、請求項２から請求項４までのいずれか１項に記載の搬送装置において、前記移動手段は、前記搬送部材上に前記記録媒体を供給する位置と、前記搬送部材上から前記記録媒体を排出する位置で、前記記録媒体の搬送方向の前記端部と干渉しない位置に前記風除けガイドを移動させる。
【００１５】
上記の発明によれば、記録媒体を搬送部材上に供給する位置と、記録媒体を搬送部材上から排出する位置で、移動手段によって、風除けガイドを記録媒体の搬送方向の端部と干渉しない位置に移動させる。このため、記録媒体を搬送部材に供給又は排出する際に記録媒体が風除けガイドと干渉することが回避される。
【００１６】
請求項６に記載の発明は、請求項１から請求項５までのいずれか１項に記載の搬送装置において、前記風除けガイドは、一端が前記搬送部材に取り付けられ、他端が前記搬送部材から立ち上がった構成とされている。
【００１７】
上記の発明によれば、風除けガイドは、一端が搬送部材に取り付けられ、他端が搬送部材から立ち上がった構成とされており、乾燥手段から記録媒体の端部に向かう風を遮ることができる。
【００１８】
請求項７に記載の発明は、請求項１から請求項６までのいずれか１項に記載の搬送装置において、前記風除けガイドは、前記搬送部材の幅方向に沿って複数設けられている。
【００１９】
上記の発明によれば、風除けガイドは、搬送部材の幅方向に沿って複数設けられており、搬送部材に記録媒体が吸着されて搬送される際に、乾燥手段から記録媒体の端部に向かう風を遮ることができる。
【００２０】
請求項８に記載の発明は、請求項１から請求項６までのいずれか１項に記載の搬送装置において、前記風除けガイドは、前記搬送部材の幅方向の全域に設けられている。
【００２１】
上記の発明によれば、風除けガイドは、搬送部材の幅方向の全域に設けられており、搬送部材に記録媒体が吸着されて搬送される際に、乾燥手段から記録媒体の端部に向かう風をより効果的に遮ることができる。
【００２２】
請求項９に記載の発明は、請求項１から請求項８までのいずれか１項に記載の搬送装置において、前記風除けガイドは、前記記録媒体が前記搬送部材に受け取られる間隔に合わせて複数設けられている。
【００２３】
上記の発明によれば、風除けガイドは、記録媒体が搬送部材に受け取られる間隔に合わせて複数設けられており、複数の記録媒体が搬送部材に吸着されて搬送される場合でも、乾燥手段から記録媒体の端部に向かう風を遮ることができる。
【００２４】
請求項１０に記載の発明は、請求項１から請求項９までのいずれか１項に記載の搬送装置において、前記風除けガイドの先端が、側面視にて前記記録媒体の前記端部に対応する位置に配置されると共に、前記乾燥手段により吹き付けられる前記風と前記記録媒体の前記端部との間に介在されている。
【００２５】
上記の発明によれば、風除けガイドの先端が、側面視にて記録媒体の端部に対応する位置に配置されると共に、乾燥手段により吹き付けられる風と記録媒体の端部との間に介在されており、乾燥手段から記録媒体の端部に向かう風を風除けガイドにより遮ることができる。
【００２６】
請求項１１に記載の発明に係る画像形成装置は、前記記録媒体の表面にインクを吐出する吐出ヘッドと、前記吐出ヘッドより前記記録媒体の搬送方向下流側に設けられる請求項１から請求項１０までのいずれか１項に記載の搬送装置と、を有する。
【００２７】
上記の発明によれば、吐出ヘッドにより記録媒体の表面にインクが吐出され、吐出ヘッドより記録媒体の搬送方向下流側に設けられた搬送装置に記録媒体が供給される。そして、搬送装置の乾燥手段により記録媒体の表面に風が吹き付けられ、記録媒体が乾燥される。その際、風除けガイドによって記録媒体の端部に向かう風が遮られ、搬送部材の端部が風によって搬送部材から捲れることが抑制される。
【発明の効果】
【００２８】
本発明は上記構成としたので、搬送部材上に吸着された記録媒体の搬送方向端部が乾燥時の風により捲れることを抑制できる。
【図面の簡単な説明】
【００２９】
【図１】本発明の第１実施形態に係る画像形成装置を示す正面図である。
【図２】本発明の第１実施形態に係る画像形成装置に用いられる搬送装置を示す斜視図である。
【図３】図２に示す搬送装置の一部を示す拡大斜視図である。
【図４】図２に示す搬送装置の風除けガイドとインク乾燥ユニットとの対応を示す拡大断面図である。
【図５】本発明の第２実施形態に係る画像形成装置に用いられる搬送装置の風除けガイド付近を示し、風除けガイドが用紙の先端部を覆っている状態を示す斜視図である。
【図６】図５に示す搬送装置の風除けガイドを移動させる移動装置を示し、風除けガイドが用紙の先端部を覆っている状態を示す側面図である。
【図７】本発明の第２実施形態に係る画像形成装置に用いられる搬送装置の風除けガイド付近を示し、風除けガイドを用紙の先端部から離れる方向に移動させた状態を示す斜視図である。
【図８】図７に示す搬送装置の風除けガイドを移動させる移動装置を示し、風除けガイドを用紙の先端部から離れる方向に移動させた状態を示す側面図である。
【図９】図５に示す搬送装置に用いられる移動装置のカムを示す側面図である。
【図１０】本発明の第３実施形態に係る画像形成装置に用いられる搬送装置を示す斜視図である。
【発明を実施するための形態】
【００３０】
以下、図面を参照して本発明に係る実施形態の一例について説明する。
【００３１】
〔第１実施形態〕
《装置構成》
図１は、本発明に係る画像形成装置としてのインクジェット記録装置の第１実施形態を示す全体構成図（正面図）である。
【００３２】
本実施形態のインクジェット記録装置１０は、枚葉の用紙（記録媒体）Ｐに水性ＵＶインク（水性媒体を使用したＵＶ（紫外線）硬化型のインク）を用いてインクジェット方式で画像を記録するものである。このインクジェット記録装置１０は、主として、用紙Ｐを給紙する給紙部１２と、給紙部１２から給紙された用紙Ｐの表面（画像記録面）に所定の処理液を付与する処理液付与部１４と、処理液付与部１４で処理液が付与された用紙Ｐの乾燥処理を行う処理液乾燥処理部１６と、処理液乾燥処理部１６で乾燥処理が施された用紙Ｐの表面に水性ＵＶインクを用いてインクジェット方式で画像を記録する画像記録部１８と、画像記録部１８で画像が記録された用紙Ｐの乾燥処理を行うインク乾燥処理部２０と、インク乾燥処理部２０で乾燥処理された用紙ＰにＵＶ照射処理（定着処理）を行って画像を定着させるＵＶ照射処理部２２と、ＵＶ照射処理部２２でＵＶ照射処理された用紙Ｐを排紙する排紙部２４と、を備えている。
【００３３】
〈給紙部〉
給紙部１２は、給紙台３０に積載された用紙Ｐを１枚ずつ処理液付与部１４に給紙する。給紙手段の一例としての給紙部１２は、主として、給紙台３０と、サッカー装置３２と、給紙ローラ対３４と、フィーダボード３６と、前当て３８と、給紙ドラム４０とで構成される。
【００３４】
用紙Ｐは、多数枚が積層された束の状態で給紙台３０に載置される。給紙台３０は、図示しない給紙台昇降装置によって昇降可能に設けられる。給紙台昇降装置は、給紙台３０に積載された用紙Ｐの増減に連動して、その駆動が制御され、束の最上位に位置する用紙Ｐが常に一定の高さに位置するように、給紙台３０を昇降させる。
【００３５】
記録媒体としての用紙Ｐは、特に限定されないが、一般のオフセット印刷などで使用される汎用の印刷用紙（いわゆる上質紙、コート紙、アート紙などのセルロースを主体とする用紙）を用いることができる。本例では塗工紙が用いられる。塗工紙は、一般に表面処理されていない上質紙や中性紙等の表面にコート材を塗布してコート層を設けたものである。具体的には、アート紙、コート紙、軽量コート紙、微塗工紙などが好適に用いられる。
【００３６】
サッカー装置３２は、給紙台３０に積載されている用紙Ｐを上から順に１枚ずつ取り上げて、給紙ローラ対３４に給紙する。サッカー装置３２は、昇降自在かつ揺動自在に設けられたサクションフット３２Ａを備え、このサクションフット３２Ａによって用紙Ｐの上面を吸着保持して、用紙Ｐを給紙台３０から給紙ローラ対３４に移送する。この際、サクションフット３２Ａは、束の最上位に位置する用紙Ｐの先端側の上面を吸着保持して、用紙Ｐを引き上げ、引き上げた用紙Ｐの先端を給紙ローラ対３４を構成する一対のローラ３４Ａ、３４Ｂの間に挿入する。
【００３７】
給紙ローラ対３４は、互いに押圧当接された上下一対のローラ３４Ａ、３４Ｂで構成される。上下一対のローラ３４Ａ、３４Ｂは、一方が駆動ローラ（ローラ３４Ａ）、他方が従動ローラ（ローラ３４Ｂ）とされ、駆動ローラ（ローラ３４Ａ）は、図示しないモータに駆動されて回転する。モータは、用紙Ｐの給紙に連動して駆動され、サッカー装置３２から用紙Ｐが給紙されると、そのタイミングに合わせて駆動ローラ（ローラ３４Ａ）を回転させる。上下一対のローラ３４Ａ、３４Ｂの間に挿入された用紙Ｐは、このローラ３４Ａ、３４Ｂにニップされて、ローラ３４Ａ、３４Ｂの回転方向（フィーダボード３６の設置方向）に送り出される。
【００３８】
フィーダボード３６は、用紙幅に対応して形成され、給紙ローラ対３４から送り出された用紙Ｐを受けて、前当て３８までガイドする。このフィーダボード３６は、下方に向けて傾斜して設置され、その搬送面の上に載置された用紙Ｐを搬送面に沿って滑らせて前当て３８までガイドする。
【００３９】
フィーダボード３６には、用紙Ｐを搬送するためのテープフィーダ３６Ａが幅方向に間隔をおいて複数設置される。テープフィーダ３６Ａは、無端状に形成され、図示しないモータに駆動されて回転する。フィーダボード３６の搬送面に載置された用紙Ｐは、このテープフィーダ３６Ａによって送りが与えられて、フィーダボード３６の上を搬送される。
【００４０】
また、フィーダボード３６の上には、リテーナ３６Ｂとコロ３６Ｃとが設置される。
リテーナ３６Ｂは、用紙Ｐの搬送面に沿って前後に縦列して複数配置される（本例では２つ）。このリテーナ３６Ｂは、用紙幅に対応した幅を有する板バネで構成され、搬送面に押圧当接されて設置される。テープフィーダ３６Ａによってフィーダボード３６の上を搬送される用紙Ｐは、このリテーナ３６Ｂを通過することにより、凹凸が矯正される。なお、リテーナ３６Ｂは、フィーダボード３６との間に用紙Ｐを導入しやすくするため、後端部がカールして形成される。
【００４１】
コロ３６Ｃは、前後のリテーナ３６Ｂの間に配設される。このコロ３６Ｃは、用紙Ｐの搬送面に押圧当接されて設置される。前後のリテーナ３６Ｂの間を搬送される用紙Ｐは、このコロ３６Ｃによって上面が抑えられながら搬送される。
【００４２】
前当て３８は、用紙Ｐの姿勢を矯正する。この前当て３８は、板状に形成され、用紙Ｐの搬送方向と直交して配置される。また、図示しないモータに駆動されて、揺動可能に設けられる。フィーダボード３６の上を搬送された用紙Ｐは、その先端が前当て３８に当接されて、姿勢が矯正される（いわゆる、スキュー防止）。前当て３８は、給紙ドラム４０への用紙の給紙に連動して揺動し、姿勢を矯正した用紙Ｐを給紙ドラム４０に受け渡す。
【００４３】
給紙ドラム４０は、前当て３８を介してフィーダボード３６から給紙される用紙Ｐを受け取り、処理液付与部１４へと搬送する。給紙ドラム４０は、円筒状に形成され、図示しないモータに駆動されて回転する。給紙ドラム４０の外周面上には、グリッパ４０Ａが備えられ、このグリッパ４０Ａによって用紙Ｐの先端が把持される。給紙ドラム４０は、グリッパ４０Ａによって用紙Ｐの先端を把持して回転することにより、用紙Ｐを周面に巻き掛けながら、処理液付与部１４へと用紙Ｐを搬送する。
【００４４】
給紙部１２は、以上のように構成される。給紙台３０の上に積載された用紙Ｐは、サッカー装置３２によって上から順に１枚ずつ引き上げられて、給紙ローラ対３４に給紙される。給紙ローラ対３４に給紙された用紙Ｐは、その給紙ローラ対３４を構成する上下一対のローラ３４Ａ、３４Ｂによって前方に送り出され、フィーダボード３６の上に載置される。フィーダボード３６の上に載置された用紙Ｐは、フィーダボード３６の搬送面に設けられたテープフィーダ３６Ａによって搬送される。そして、その搬送過程でリテーナ３６Ｂによってフィーダボード３６の搬送面に押し付けられ、凹凸が矯正される。フィーダボード３６によって搬送された用紙Ｐは、先端が前当て３８に当接されることにより、傾きが矯正され、その後、給紙ドラム４０に受け渡される。そして、その給紙ドラム４０によって処理液付与部１４へと搬送される。
【００４５】
〈処理液付与部〉
処理液付与部１４は、用紙Ｐの表面（画像記録面）に所定の処理液を付与する。この処理液付与部１４は、主として、用紙Ｐを搬送する処理液付与ドラム４２と、処理液付与ドラム４２によって搬送される用紙Ｐの印刷面に所定の処理液を付与する処理液付与ユニット４４とで構成される。
【００４６】
処理液付与ドラム４２は、給紙部１２の給紙ドラム４０から用紙Ｐを受け取り、処理液乾燥処理部１６へと用紙Ｐを搬送する。処理液付与ドラム４２は、円筒状に形成され、図示しないモータに駆動されて回転する。処理液付与ドラム４２の外周面上には、グリッパ４２Ａが備えられ、このグリッパ４２Ａによって用紙Ｐの先端が把持される。処理液付与ドラム４２は、このグリッパ４２Ａによって用紙Ｐの先端を把持して回転することにより、用紙Ｐを周面に巻き掛けながら、処理液乾燥処理部１６へと用紙Ｐを搬送する（１回転で１枚の用紙Ｐを搬送する。）。処理液付与ドラム４２と給紙ドラム４０は、互いの用紙Ｐの受け取りと受け渡しのタイミングが合うように、回転が制御される。すなわち、同じ周速度となるように駆動されるとともに、互いのグリッパの位置が合うように駆動される。
【００４７】
処理液付与ユニット４４は、処理液付与ドラム４２によって搬送される用紙Ｐの表面に処理液をローラ塗布する。この処理液付与ユニット４４は、主として、用紙Ｐに処理液を塗布する塗布ローラ４４Ａと、処理液が貯留される処理液槽４４Ｂと、処理液槽４４Ｂに貯留された処理液を汲み上げて、塗布ローラ４４Ａに供給する汲み上げローラ４４Ｃとで構成される。汲み上げローラ４４Ｃは、塗布ローラ４４Ａに押圧当接して設置されるとともに、一部を処理液槽４４Ｂに貯留された処理液に浸漬させて設置される。この汲み上げローラ４４Ｃは、処理液を計量して汲み上げ、塗布ローラ４４Ａの周面に一定の厚さで処理液を付与する。塗布ローラ４４Ａは、用紙幅に対応して設けられ、用紙Ｐに押圧当接されて、その周面に付与された処理液を用紙Ｐに塗布する。塗布ローラ４４Ａは、図示しない当接離間機構に駆動されて、処理液付与ドラム４２の周面に当接する当接位置と、処理液付与ドラム４２の周面から離間する離間位置との間を移動する。当接離間機構は、用紙Ｐの通過タイミングに合わせて、塗布ローラ４４Ａを移動させ、処理液付与ドラム４２によって搬送される用紙Ｐの表面に処理液を塗布する。
【００４８】
なお、本例では、処理液をローラ塗布する構成としているが、処理液を付与する方法は、これに限定されるものではない。この他、インクジェットヘッドを用いて付与する構成やスプレーにより付与する構成を採用することもできる。
【００４９】
処理液付与部１４は、以上のように構成される。給紙部１２の給紙ドラム４０から受け渡された用紙Ｐは、処理液付与ドラム４２で受け取られる。処理液付与ドラム４２は、用紙Ｐの先端をグリッパ４２Ａで把持して、回転することにより、用紙Ｐを周面に巻き掛けて搬送する。この搬送過程で塗布ローラ４４Ａが用紙Ｐの表面に押圧当接され、用紙Ｐの表面に処理液が塗布される。
【００５０】
ここで、この用紙Ｐの表面に塗布する処理液は、後段の画像記録部１８で用紙Ｐに打滴する水性ＵＶインク中の色材を凝集させる機能を有する処理液が塗布される。このような処理液を用紙Ｐの表面に塗布して水性ＵＶインクを打滴することにより、汎用の印刷用紙を用いた場合であっても、着弾干渉等を起こすことなく、高品位な印刷を行うことができる。
【００５１】
〈処理液乾燥処理部〉
処理液乾燥処理部１６は、表面に処理液が付与された用紙Ｐを乾燥処理する。この処理液乾燥処理部１６は、主として、用紙Ｐを搬送する処理液乾燥処理ドラム４６と、用紙搬送ガイド４８と、処理液乾燥処理ドラム４６によって搬送される用紙Ｐの印刷面に熱風を吹き当てて乾燥させる処理液乾燥処理ユニット５０とで構成される。
【００５２】
処理液乾燥処理ドラム４６は、処理液付与部１４の処理液付与ドラム４２から用紙Ｐを受け取り、画像記録部１８へと用紙Ｐを搬送する。処理液乾燥処理ドラム４６は、円筒状に組んだ枠体で構成され、図示しないモータに駆動されて回転する。処理液乾燥処理ドラム４６の外周面上には、グリッパ４６Ａが備えられ、このグリッパ４６Ａによって用紙Ｐの先端が把持される。処理液乾燥処理ドラム４６は、このグリッパ４６Ａによって用紙Ｐの先端を把持して回転することにより、画像記録部１８に用紙Ｐを搬送する。なお、本例の処理液乾燥処理ドラム４６は、外周面上の２カ所にグリッパ４６Ａが配設され、１回の回転で２枚の用紙Ｐが搬送できるように構成されている。処理液乾燥処理ドラム４６と処理液付与ドラム４２は、互いの用紙Ｐの受け取りと受け渡しのタイミングが合うように、回転が制御される。すなわち、同じ周速度となるように駆動されるとともに、互いのグリッパの位置が合うように駆動される。
【００５３】
用紙搬送ガイド４８は、処理液乾燥処理ドラム４６による用紙Ｐの搬送経路に沿って配設され、用紙Ｐの搬送をガイドする。
【００５４】
処理液乾燥処理ユニット５０は、処理液乾燥処理ドラム４６の内側に設置され、処理液乾燥処理ドラム４６によって搬送される用紙Ｐの表面に向けて熱風を吹き当てて乾燥処理する。本例では、２台の処理液乾燥処理ユニット５０が、処理液乾燥処理ドラム内に配設され、処理液乾燥処理ドラム４６によって搬送される用紙Ｐの表面に向けて熱風を吹き当てる構成とされている。
【００５５】
処理液乾燥処理部１６は、以上のように構成される。処理液付与部１４の処理液付与ドラム４２から受け渡された用紙Ｐは、処理液乾燥処理ドラム４６で受け取られる。処理液乾燥処理ドラム４６は、用紙Ｐの先端をグリッパ４６Ａで把持して、回転することにより、用紙Ｐを搬送する。この際、処理液乾燥処理ドラム４６は、用紙Ｐの表面（処理液が塗布された面）を内側に向けて搬送する。用紙Ｐは、処理液乾燥処理ドラム４６によって搬送される過程で処理液乾燥処理ドラム４６の内側に設置された処理液乾燥処理ユニット５０から熱風が表面に吹き当てられて、乾燥処理される。すなわち、処理液中の溶媒成分が除去される。これにより、用紙Ｐの表面にインク凝集層が形成される。
【００５６】
〈画像記録部〉
画像記録部１８は、用紙Ｐの印刷面にＣ、Ｍ、Ｙ、Ｋの各色のインク（水性ＵＶインク）の液滴を打滴して、用紙Ｐの印刷面にカラー画像を描画する。この画像記録部１８は、主として、用紙Ｐを搬送する画像記録ドラム５２と、画像記録ドラム５２によって搬送される用紙Ｐを押圧して、用紙Ｐを画像記録ドラム５２の周面に密着させる用紙押さえローラ５４と、用紙ＰにＣ、Ｍ、Ｙ、Ｋの各色のインク滴を吐出する吐出ヘッドの一例としてのインクジェットヘッド５６Ｃ、５６Ｍ、５６Ｙ、５６Ｋと、用紙Ｐに記録された画像を読み取るインラインセンサ５８と、インクミストを捕捉するミストフィルタ６０と、ドラム冷却ユニット６２とで構成される。
【００５７】
画像記録ドラム５２は、処理液乾燥処理部１６の処理液乾燥処理ドラム４６から用紙Ｐを受け取り、インク乾燥処理部２０へと用紙Ｐを搬送する。画像記録ドラム５２は、円筒状に形成され、図示しないモータに駆動されて回転する。画像記録ドラム５２の外周面上には、グリッパ５２Ａが備えられ、このグリッパ５２Ａによって用紙Ｐの先端が把持される。画像記録ドラム５２は、このグリッパ５２Ａによって用紙Ｐの先端を把持して回転することにより、用紙Ｐを周面に巻き掛けながら、インク乾燥処理部２０へと用紙Ｐを搬送する。また、画像記録ドラム５２は、その周面に多数の吸引穴（図示せず）が所定のパターンで形成される。画像記録ドラム５２の周面に巻き掛けられた用紙Ｐは、この吸引穴から吸引されることにより、画像記録ドラム５２の周面に吸着保持されながら搬送される。これにより、高い平滑性をもって用紙Ｐを搬送することができる。
【００５８】
なお、この吸引穴からの吸引は一定の範囲でのみ作用し、所定の吸引開始位置から所定の吸引終了位置との間で作用する。吸引開始位置は、用紙押さえローラ５４の設置位置に設定され、吸引終了位置は、インラインセンサ５８の設置位置の下流側に設定される（たとえば、インク乾燥処理部２０に用紙を受け渡す位置に設定される。）。すなわち、少なくともインクジェットヘッド５６Ｃ、５６Ｍ、５６Ｙ、５６Ｋの設置位置（画像記録位置）とインラインセンサ５８の設置位置（画像読取位置）では、用紙Ｐが画像記録ドラム５２の周面に吸着保持されるように設定される。
【００５９】
なお、用紙Ｐを画像記録ドラム５２の周面に吸着保持させる機構は、上記の負圧による吸着方法に限らず、静電吸着による方法を採用することもできる。
【００６０】
また、本例の画像記録ドラム５２は、外周面上の２カ所にグリッパ５２Ａが配設され、１回の回転で２枚の用紙Ｐが搬送できるように構成されている。画像記録ドラム５２と処理液乾燥処理ドラム４６は、互いの用紙Ｐの受け取りと受け渡しのタイミングが合うように、回転が制御される。すなわち、同じ周速度となるように駆動されるとともに、互いのグリッパの位置が合うように駆動される。
【００６１】
用紙押さえローラ５４は、画像記録ドラム５２の用紙受取位置（処理液乾燥処理ドラム４６から用紙Ｐを受け取る位置）の近傍に配設される。この用紙押さえローラ５４は、ゴムローラで構成され、画像記録ドラム５２の周面に押圧当接させて設置される。処理液乾燥処理ドラム４６から画像記録ドラム５２に受け渡された用紙Ｐは、この用紙押さえローラ５４を通過することによりニップされ、画像記録ドラム５２の周面に密着させられる。
【００６２】
４台のインクジェットヘッド５６Ｃ、５６Ｍ、５６Ｙ、５６Ｋは、画像記録ドラム５２による用紙Ｐの搬送経路に沿って一定の間隔をもって配置される。このインクジェットヘッド５６Ｃ、５６Ｍ、５６Ｙ、５６Ｋは、用紙幅に対応したラインヘッドで構成され、ノズル面が画像記録ドラム５２の周面に対向するように配置される。各インクジェットヘッド５６Ｃ、５６Ｍ、５６Ｙ、５６Ｋは、ノズル面に形成されたノズル列から、画像記録ドラム５２に向けてインクの液滴を吐出することにより、画像記録ドラム５２によって搬送される用紙Ｐに画像を記録する。
【００６３】
なお、上記のように、各インクジェットヘッド５６Ｃ、５６Ｍ、５６Ｙ、５６Ｋから吐出させるインクは、水性ＵＶインクが用いられる。水性ＵＶインクは、打滴後に紫外線（ＵＶ）を照射することにより、硬化させることができる。
【００６４】
インラインセンサ５８は、画像記録ドラム５２による用紙Ｐの搬送方向に対して、最後尾のインクジェットヘッド５６Ｋの下流側に設置され、インクジェットヘッド５６Ｃ、５６Ｍ、５６Ｙ、５６Ｋで記録された画像を読み取る。このインラインセンサ５８は、たとえば、ラインスキャナで構成され、画像記録ドラム５２によって搬送される用紙Ｐからインクジェットヘッド５６Ｃ、５６Ｍ、５６Ｙ、５６Ｋによって記録された画像を読み取る。
【００６５】
なお、インラインセンサ５８の下流側には、インラインセンサ５８に近接して接触防止板５９が設置される。この接触防止板５９は、搬送の不具合等によって用紙Ｐに浮きが生じた場合に、用紙Ｐがインラインセンサ５８に接触するのを防止する。
【００６６】
ミストフィルタ６０は、最後尾のインクジェットヘッド５６Ｋとインラインセンサ５８との間に配設され、画像記録ドラム５２の周辺の空気を吸引してインクミストを捕捉する。このように、画像記録ドラム５２の周辺の空気を吸引してインクミストを捕捉することにより、インラインセンサ５８へのインクミストの進入を防止でき、読み取り不良等の発生を防止できる。
【００６７】
ドラム冷却ユニット６２は、画像記録ドラム５２に冷風を吹き当てて、画像記録ドラム５２を冷却する。このドラム冷却ユニット６２は、主として、エアコン（図示せず）と、そのエアコンから供給される冷気を画像記録ドラム５２の周面に吹き当てるダクト６２Ａとで構成される。ダクト６２Ａは、画像記録ドラム５２に対して、用紙Ｐの搬送領域以外の領域に冷気を吹き当てて、画像記録ドラム５２を冷却する。本例では、画像記録ドラム５２のほぼ上側半分の円弧面に沿って用紙Ｐが搬送されるので、ダクト６２Ａは、画像記録ドラム５２のほぼ下側半分の領域に冷気を吹き当てて、画像記録ドラム５２を冷却する構成とされている。具体的には、ダクト６２Ａの吹出口が、画像記録ドラム５２のほぼ下側半分を覆うように円弧状に形成され、画像記録ドラム５２のほぼ下側半分の領域に冷気が吹き当てられる構成とされている。
【００６８】
ここで、画像記録ドラム５２を冷却する温度は、インクジェットヘッド５６Ｃ、５６Ｍ、５６Ｙ、５６Ｋの温度（特にノズル面の温度）との関係で定まり、インクジェットヘッド５６Ｃ、５６Ｍ、５６Ｙ、５６Ｋの温度よりも低い温度となるように冷却される。これにより、インクジェットヘッド５６Ｃ、５６Ｍ、５６Ｙ、５６Ｋに結露が生じるのを防止することができる。すなわち、インクジェットヘッド５６Ｃ、５６Ｍ、５６Ｙ、５６Ｋよりも画像記録ドラム５２の温度を低くすることにより、画像記録ドラム側に結露を誘発することができ、インクジェットヘッド５６Ｃ、５６Ｍ、５６Ｙ、５６Ｋに生じる結露（特にノズル面に生じる結露）を防止することができる。
【００６９】
画像記録部１８は、以上のように構成される。処理液乾燥処理部１６の処理液乾燥処理ドラム４６から受け渡された用紙Ｐは、画像記録ドラム５２で受け取られる。画像記録ドラム５２は、用紙Ｐの先端をグリッパ５２Ａで把持して、回転することにより、用紙Ｐを搬送する。画像記録ドラム５２に受け渡された用紙Ｐは、まず、用紙押さえローラ５４を通過することにより、画像記録ドラム５２の周面に密着される。これと同時に画像記録ドラム５２の吸着穴から吸引されて、画像記録ドラム５２の外周面上に吸着保持される。用紙Ｐは、この状態で搬送されて、各インクジェットヘッド５６Ｃ、５６Ｍ、５６Ｙ、５６Ｋを通過する。そして、その通過時に各インクジェットヘッド５６Ｃ、５６Ｍ、５６Ｙ、５６ＫからＣ、Ｍ、Ｙ、Ｋの各色のインクの液滴が表面に打滴されて、表面にカラー画像が描画される。用紙Ｐの表面にはインク凝集層が形成されているので、フェザリングやブリーディング等を起こすことなく、高品位な画像を記録することができる。
【００７０】
インクジェットヘッド５６Ｃ、５６Ｍ、５６Ｙ、５６Ｋによって画像が記録された用紙Ｐは、次いで、インラインセンサ５８を通過する。そして、そのインラインセンサ５８の通過時に表面に記録された画像が読み取られる。この記録画像の読み取りは必要に応じて行われ、読み取られた画像から吐出不良等の検査が行われる。読み取りを行う際は、画像記録ドラム５２に吸着保持された状態で読み取りが行われるので、高精度に読み取りを行うことができる。また、画像記録直後に読み取りが行われるので、たとえば、吐出不良等の異常を直ちに検出することができ、その対応を迅速に行うことができる。これにより、無駄な記録を防止できるとともに、損紙の発生を最小限に抑えることができる。
【００７１】
この後、用紙Ｐは、画像記録ドラム５２への吸着が解除された後、搬送ドラム６４で受け取られる。搬送ドラム６４は、用紙Ｐの先端をグリッパ６４Ａで把持して、回転することにより、用紙Ｐを搬送する。さらに、搬送ドラム６４で受け取られた用紙Ｐは、インク乾燥処理部２０へと受け渡される。
【００７２】
〈インク乾燥処理部〉
インク乾燥処理部２０は、画像記録後の用紙Ｐを乾燥処理し、用紙Ｐの表面に残存する液体成分を除去する。インク乾燥処理部２０は、本発明の第１実施形態の搬送装置７０を備えている。より具体的には、搬送装置７０は、画像が記録された用紙Ｐを矢印Ａ方向に搬送する搬送部材の一例としての搬送ベルト７２と、搬送ベルト７２上を搬送される用紙Ｐを風（本実施形態では熱風）により乾燥処理する乾燥手段の一例としてのインク乾燥ユニット９０とを備えている。
【００７３】
搬送装置７０は、インク乾燥処理部２０、ＵＶ照射処理部２２において共通して使用される用紙搬送機構であり、画像記録部１８から搬送ドラム６４を介して受け渡された用紙Ｐを受け取って、排紙部２４まで搬送する。
【００７４】
この搬送装置７０は、搬送ドラム６４に近接して設置される第１ローラ７６Ａと、排紙部２４より搬送方向上流側に設置されるガイド１００に近接して配置される第２ローラ７６Ｂと、第１ローラ７６Ａと第２ローラ７６Ｂとに巻き掛けられる無端状の搬送ベルト７２と、搬送ベルト７２の下方側に配置されて用紙Ｐを搬送ベルト７２上に吸着させる用紙吸着装置としてのチャンバ７４と、を備えている。第１ローラ７６Ａと第２ローラ７６Ｂは、用紙Ｐの幅方向に沿って配設される。
【００７５】
第１ローラ７６Ａは、搬送ドラム６４から受け渡される用紙Ｐを搬送ベルト７２上で受け取ることができるように、搬送ドラム６４に近接して設置される。この第１ローラ７６Ａは、図示しない軸受に軸支されて、回転自在に設けられるとともに、図示しないモータが連結される。第１ローラ７６Ａ及び第２ローラ７６Ｂに巻き掛けられる搬送ベルト７２は、このモータを駆動することにより矢印Ａ方向に走行する。
【００７６】
第２ローラ７６Ｂは、搬送ドラム６４から受け取った用紙Ｐを排紙部２４で回収できるように、排紙部２４側に設置される。すなわち、この第２ローラ７６Ｂの設置位置が、搬送ベルト７２による用紙Ｐの搬送経路の終端とされる。この第２ローラ７６Ｂは、軸部７７（図２参照）が図示しない軸受に軸支されて、回転自在に設けられる。なお、搬送装置７０については、後に詳述する。
【００７７】
インク乾燥ユニット９０は、搬送ベルト７２の用紙搬送方向に沿って複数台配置される。この設置数は、インク乾燥ユニット９０の処理能力や用紙Ｐの搬送速度（＝印刷速度）等に応じて設定される。すなわち、画像記録部１８から受け取った用紙Ｐが複数のインク乾燥ユニット９０との対向部を搬送されている間に乾燥させることができるように設定される。したがって、搬送ベルト７２の長さも、このインク乾燥ユニット９０の能力を考慮して設定される。
【００７８】
〈ＵＶ照射処理部〉
図１に示されるように、ＵＶ照射処理部２２は、水性ＵＶインクを用いて記録された画像に紫外線（ＵＶ）を照射して、画像を定着させる。このＵＶ照射処理部２２は、搬送装置７０に設けられた搬送ベルト７２上に吸着されて搬送される用紙Ｐに紫外線を照射する定着ユニットの一例としてのＵＶ照射ユニット９４を備えている。すなわち、搬送装置７０は、インク乾燥処理部２０及びＵＶ照射処理部２２に共通して使用される。
【００７９】
ＵＶ照射ユニット９４は、搬送ベルト７２の上方側に配置され、搬送ベルト７２上を搬送される用紙Ｐの表面に紫外線を照射する。このＵＶ照射ユニット９４は、紫外線ランプ（ＵＶランプ）を備え、搬送ベルト７２の用紙搬送方向に沿って複数配設される。そして、搬送ベルト７２上を搬送される用紙Ｐの表面に向けて紫外線を照射する。このＵＶ照射ユニット９４の設置数は、用紙Ｐの搬送速度（＝印刷速度）等に応じて設定される。すなわち、用紙ＰがＵＶ照射ユニット９４との対向部を搬送されている間に照射した紫外線によって画像を定着させることができるように設定される。したがって、ＵＶ照射ユニット９４との対向部の用紙搬送方向の長さも、この用紙Ｐの搬送速度等を考慮して設定される。
【００８０】
ＵＶ照射処理部２２では、用紙Ｐの記録面上の水性ＵＶインクを用いて記録された画像に、ＵＶ照射ユニット９４から紫外線（ＵＶ）を照射することで、画像を定着させる。ＵＶ照射ユニット９４では、紫外線光源を複数用いてもよい。これにより、一つ一つの紫外線光源の照射強度を低減することにより、照射時間で硬化条件を稼ぐことが可能となり、コストダウン及びＵＶ照射ユニット９４の発熱量低減を図ることができる。
【００８１】
ＵＶ照射ユニット９４に用いる紫外線光源としては、特に限定されるものではなく、例えば、メタルハライドランプ、水銀ランプ、エキシマレーザー、紫外線レーザー、ブラックライト、冷陰極管、ＬＥＤ、レーザダイオード等が適用可能であり、メタルハライドランプ管、水銀ランプ管もしくはブラックライトなどが好適に用いられる。
【００８２】
ＵＶ照射処理部２２は、以上のように構成される。搬送ベルト７２上を搬送される用紙Ｐは、インク乾燥処理部２０で乾燥処理が施された後、ＵＶ照射ユニット９４との対向部を通過する。このＵＶ照射ユニット９４との対向部を通過する過程で用紙Ｐは、ＵＶ照射ユニット９４によりＵＶ照射処理が施される。すなわち、ＵＶ照射ユニット９４から表面に向けて紫外線が照射される。この際、用紙Ｐは、搬送ベルト７２上に吸着された状態でＵＶ照射処理が施される。
【００８３】
〈排紙部〉
搬送ベルト７２上を搬送される用紙Ｐは、チャンバ７４による吸引作用が及ばなくなると、搬送ベルト７２への吸着が解除され、用紙Ｐはガイド１００に沿って搬送されて排紙部２４に排出される。排紙部２４は、一連の画像記録処理が行われた用紙Ｐを回収する。この排紙部２４は、用紙Ｐを積み重ねて回収する排紙台９６を備えている。
【００８４】
排紙台９６は、搬送ベルト７２によって搬送された用紙Ｐを積み重ねて回収する。この排紙台９６には、用紙Ｐが整然と積み重ねられるように、用紙当て（前用紙当て、後用紙当て、横用紙当て等）が備えられる（図示せず）。
【００８５】
また、排紙台９６は、図示しない排紙台昇降装置によって昇降可能に設けられる。排紙台昇降装置は、排紙台９６にスタックされる用紙Ｐの増減に連動して、その駆動が制御され、最上位に位置する用紙Ｐが常に一定の高さに位置するように、排紙台９６を昇降させる。
【００８６】
〈搬送装置の詳細〉
次に、本実施形態のインクジェット記録装置１０の主要部である搬送装置７０を備えたインク乾燥処理部２０について、さらに詳しく説明する。
【００８７】
図２及び図３に示されるように、搬送ベルト７２は、用紙Ｐの搬送方向に沿って配置される複数の長尺状の搬送部７２Ａを備えている。複数の搬送部７２Ａは第１ローラ７６Ａ（図１参照）及び第２ローラ７６Ｂの幅方向にほぼ平行に配置されている。すなわち、複数の搬送部７２Ａの間には、用紙搬送方向に沿って空間が形成されている。なお、複数の搬送部７２Ａを第２ローラ７６Ｂの幅方向にほぼ平行に保持するために、複数の搬送部７２Ａを幅方向に沿って連結する連結部（図示省略）を複数箇所に設けてもよい。各搬送部７２Ａには、長手方向に沿ってほぼ等間隔に多数の吸着孔７８が設けられている。
【００８８】
図４に示されるように、チャンバ７４は、複数の搬送部７２Ａの下側に搬送部７２Ａに沿って形成された長尺状の開口部７４Ａと、搬送部７２Ａに形成された多数の吸着孔７８から空気を吸引する複数の吸引ファン７４Ｂと、複数の吸着孔７８から吸引された空気を排出する排出管７４Ｃと、を備えている。開口部７４Ａは、各搬送部７２Ａの長手方向に沿って、各搬送部７２Ａの幅より小さく形成されている。すなわち、上面視にて、開口部７４Ａの幅は、搬送部７２Ａの幅方向両側からはみ出さない寸法とされている。このチャンバ７４は、吸引ファン７４Ｂの回転により、搬送部７２Ａに形成された多数の吸着孔７８を通して用紙Ｐを搬送ベルト７２上に吸着させる。なお、開口部７４Ａは、各搬送部７２Ａの長手方向に沿って１つ形成されていてもよいが、各搬送部７２Ａの長手方向に沿って複数並べて形成されていてもよい。
【００８９】
図３及び図４に示されるように、インク乾燥ユニット９０は、内部の上部側に設けられたファン９０Ａ（図１参照）と、ファン９０Ａの回転により下端部から風（本実施形態では熱風）を吹き出す吹出口９０Ｂと、を備えている。インク乾燥ユニット９０では、吹出口９０Ｂから風（本実施形態では熱風）が搬送ベルト７２上に吸着された用紙Ｐに吹き付けられる。インク乾燥ユニット９０の吹出口９０Ｂは、用紙搬送方向上流側かつ斜め下方側に向けて配置されており、搬送ベルト７２上に吸着された用紙Ｐに吹出口９０Ｂから風が用紙搬送方向上流側に向けて(矢印Ｂ方向に）吹き付けられる。
【００９０】
複数の搬送部７２Ａには、吹出口９０Ｂからの風が用紙搬送方向における用紙Ｐの先端部Ｐ１に当たるのを遮るための風除けガイド８０を備えている。図４に示されるように、風除けガイド８０は、板状とされ、側面視にて略クランク状に形成されている。より具体的には、風除けガイド８０は、搬送部７２Ａに取り付けられる横壁からなる取付部８０Ａと、取付部８０Ａの端部から上方側に屈曲された縦壁部８０Ｂと、縦壁部８０Ｂの上端部から横方向に屈曲された横壁部８０Ｃと、を備えている。すなわち、横壁部８０Ｃは、複数の搬送部７２Ａの上方側に所定の間隔をおいて配置されており、縦壁部８０Ｂの上端部から用紙搬送方向上流側に向かって延びている。
【００９１】
本実施形態では、風除けガイド８０の横壁部８０Ｃの先端が、側面視にて用紙Ｐの先端部Ｐ１に対応する上方側に配置されると共に、風除けガイド８０の横壁部８０Ｃが、用紙Ｐの先端部Ｐ１を覆うように配置されている。ここで、「用紙Ｐの先端部Ｐ１を覆う」とは、風除けガイド８０（本実施形態では横壁部８０Ｃ）が、インク乾燥ユニット９０の吹出口９０Ｂから吹き付けられる風と用紙Ｐの先端部Ｐ１との間に介在されていることを言う。風除けガイド８０の横壁部８０Ｃがインク乾燥ユニット９０の吹出口９０Ｂから吹き付けられる風と用紙Ｐの先端部Ｐ１との間に介在されていることで、吹出口９０Ｂからの風が用紙Ｐの先端部Ｐ１に当たるのを遮ることができる。
【００９２】
図３等に示されるように、風除けガイド８０は、搬送ベルト７２の複数の搬送部７２Ａに一定の間隔をもって複数取り付けられる。複数の搬送部７２Ａには、用紙Ｐの幅方向に沿ってほぼ同じ位置に風除けガイド８０が設けられている。この風除けガイド８０の取り付け間隔は、搬送ドラム６４から搬送ベルト７２への用紙Ｐの受け取り間隔に合わせて設定されている。すなわち、搬送ドラム６４から順次受け渡される用紙Ｐの先端部Ｐ１をタイミングを合わせて搬送ベルト７２の風除けガイド８０付近（横壁部８０Ｃの用紙搬送方向上流側）に供給できるように、搬送ドラム６４からの用紙Ｐの受け取り間隔に合わせて設定されている。
【００９３】
なお、搬送ベルト７２の複数の搬送部７２Ａの間には空間が形成されており、搬送ドラム６４から用紙Ｐが搬送ベルト７２に供給されるときに、用紙Ｐの先端部Ｐ１を把持するグリッパ６４Ａが搬送部７２Ａの間の空間に入り込むようになっている。
【００９４】
図２及び図３に示されるように、インク乾燥ユニット９０は、搬送ベルト７２による用紙搬送方向に沿って４つ配置されている。各インク乾燥ユニット９０の間には、搬送ベルト７２上に吸着されて搬送される用紙Ｐを熱により乾燥処理するＩＲ（赤外線）ヒータ９２が設けられている。すなわち、インク乾燥ユニット９０とＩＲヒータ９２は、用紙Ｐの搬送方向に沿って交互に配置されている。これらのインク乾燥ユニット９０とＩＲヒータ９２により、画像記録後の用紙Ｐを乾燥処理し、用紙Ｐの表面（記録面）に残存する液体成分を除去する。
なお、ＩＲヒータ９２は本実施形態のインク乾燥処理部２０に必ずしも必要ではなく、ＩＲヒータ９２がないタイプでも構わない。
【００９５】
搬送装置７０は、以上のように構成される。上記のように、第１ローラ７６Ａに接続されたモータ（図示せず）を駆動すると、搬送ベルト７２が走行する（図１参照）。搬送ベルト７２は、搬送ドラム６４の周速度と同じ速度で走行する。また、搬送ドラム６４から受け渡される用紙Ｐの先端部Ｐ１が、複数の搬送部７２Ａの風除けガイド８０の搬送方向上流側付近に配置されるように、搬送ドラム６４と搬送ベルト７２の移動タイミングが合わせられる（図３及び図４参照）。
【００９６】
搬送ベルト７２上に供給された用紙Ｐは、チャンバ７４に設けられた吸引ファン７４Ｂの回転により、多数の吸着孔７８を通して搬送ベルト７２上に吸着される。その際、用紙Ｐは、その裏面（画像が記録されていない側の面）が搬送ベルト７２上に吸着される。搬送ベルト７２上に吸着されて搬送される用紙Ｐは、４つのインク乾燥ユニット９０の下方側を通過する際に、吹出口９０Ｂから風（本実施形態では熱風）が吹き付けられる。そして、交互に配置されたインク乾燥ユニット９０とＩＲヒータ９２により、画像記録後の用紙Ｐが乾燥処理され、用紙Ｐの表面に残存する液体成分が除去される。
【００９７】
図４に示されるように、インク乾燥ユニット９０の吹出口９０Ｂから風が用紙搬送方向上流側（矢印Ｂ方向）に向かって吹き出され、搬送ベルト７２上に吸着されて搬送される用紙Ｐに吹き付けられる。その際、風除けガイド８０の横壁部８０Ｃの先端が、側面視にて用紙Ｐの先端部Ｐ１に対応する位置に配置されると共に、風除けガイド８０の横壁部８０Ｃが、インク乾燥ユニット９０の吹出口９０Ｂから吹き付けられる風と用紙Ｐの先端部Ｐ１との間に介在されている。これによって、インク乾燥ユニット９０の吹出口９０Ｂからの風が、搬送ベルト７２の複数の搬送部７２Ａに設けられた風除けガイド８０の横壁部８０Ｃによって遮られる。すなわち、風除けガイド８０の横壁部８０Ｃによって、吹出口９０Ｂから風が用紙Ｐの先端部Ｐ１に当たることが抑制され、用紙Ｐの先端部Ｐ１が搬送ベルト７２から捲れる（剥離される、又は浮き上がる）ことが抑制される。
【００９８】
図２に示すように、インク乾燥処理部２０では、搬送ベルト７２上を搬送される用紙Ｐをインク乾燥ユニット９０及びＩＲヒータ９２により乾燥処理する。すなわち、インク乾燥処理部２０は、色材凝集作用により分離された溶媒に含まれる水分を乾燥させる機構であり、搬送ベルト７２上を搬送される用紙Ｐと対向する位置に熱風を吹き付けるインク乾燥ユニット９０と、ＩＲヒータ９２とが用紙搬送方向に沿って交互に設けられている。
【００９９】
インク乾燥ユニット９０の熱風の吹出口９０Ｂは、所定の温度に制御された熱風を一定の風量で用紙Ｐに用紙搬送方向上流側（図４の矢印Ｂ方向）に向けて吹き付けるように構成される。ＩＲヒータ９２は、それぞれ所定の温度に制御される。これらのインク乾燥ユニット９０及びＩＲヒータ９２によって、用紙Ｐの記録面に含まれる水分が蒸発され、乾燥処理が行われる。
【０１００】
このような搬送装置７０では、搬送ベルト７２の複数の搬送部７２Ａに設けられた風除けガイド８０の横壁部８０Ｃが、搬送ベルト７２上を搬送される用紙Ｐの先端部Ｐ１付近（用紙Ｐの先端部Ｐ１の用紙搬送方向下流側かつ斜め上方側）に配置されるように搬送ベルト７２上に用紙Ｐが供給されている。これによって、インク乾燥ユニット９０の吹出口９０Ｂからの熱風が、風除けガイド８０の横壁部８０Ｃによって遮られる（遮蔽される）。すなわち、風除けガイド８０の横壁部８０Ｃによって、吹出口９０Ｂから風が用紙Ｐの先端部Ｐ１に当たることが抑制され、用紙Ｐの先端部Ｐ１が搬送ベルト７２から捲れる（剥離する、又は浮き上がる）ことが抑制される。このため、インク乾燥ユニット９０の吹出口９０Ｂからの熱風の風速を十分高めることができる。
【０１０１】
なお、蒸発した水分は図示を省略した排出手段によりエアとともに機外に排出することが好ましい。また、回収されたエアを冷却器（ラジエータ）などで冷却して液体として回収してもよい。
【０１０２】
なお、風除けガイド８０はクランク状でなくてもよく、吹出口９０Ｂから風が用紙Ｐの先端部Ｐ１に当たるのを遮ることができる形状であれば、他の形状に変更可能である。
【０１０３】
〔第２実施形態〕
次に、図５〜図９を用いて、本発明の第２実施形態に係るインクジェット記録装置に用いられる搬送装置について説明する。なお、前述した第１実施形態と同一構成部分については、同一番号を付してその説明を省略する。
【０１０４】
図５に示されるように、本実施形態の搬送装置１１０は、用紙Ｐを吸着して搬送する搬送ベルト７２と、搬送ベルト７２上を搬送される用紙Ｐの先端部Ｐ１を覆う風除けガイド１１２と、風除けガイド１１２を用紙Ｐの先端部Ｐ１に対して搬送方向に移動させる移動手段の一例としての移動装置１２０と、を備えている。
【０１０５】
図５及び図６に示されるように、風除けガイド１１２は、搬送ベルト７２上を搬送される用紙Ｐの幅方向に沿って配置されており、側面視にて略クランク状に形成されている。より具体的には、風除けガイド１１２は、横壁からなる支持部１１２Ａと、支持部１１２Ａの端部から下方側に屈曲された縦壁部１１２Ｂと、縦壁部１１２Ｂの下端部から略直交する方向に屈曲された横壁部１１２Ｃとを備えている。さらに、風除けガイド１１２は、支持部１１２Ａの幅方向両側に設けられ上方に屈曲された側壁部１１２Ｄを備えている。
【０１０６】
移動装置１２０は、搬送ベルト７２の幅方向両側に設けられたチェーン１０８に固定されるベース部１２２と、ベース部１２２の幅方向両側の側面に回動可能に支持される左右一対のカムフォロア１２４と、を備えている。ベース部１２２は、幅方向両側の側壁に設けられた連結部１３２によりチェーン１０８に固定されている。チェーン１０８は、搬送ベルト７２の複数の搬送部７２Ａと共に用紙搬送方向に走行する構成とされており、ベース部１２２はチェーン１０８及び搬送ベルト７２と共に用紙搬送方向（矢印Ａ方向）に移動する。
【０１０７】
ベース部１２２は、搬送ベルト７２の幅方向に沿って配置されており、ベース部１２２の上面には、幅方向両側にピン１３０が設けられている。風除けガイド１１２の支持部１１２Ａには、幅方向両側に長孔１１４が形成されており、長孔１１４の長径部が用紙搬送方向（矢印Ａ方向）に沿って配置されている。そして、ピン１３０の軸部が風除けガイド１１２の長孔１１４に挿通された状態で、風除けガイド１１２がベース部１２２の上面に当接しながら用紙搬送方向に沿って移動可能とされている。ピン１３０の頭部は、風除けガイド１１２の長孔１１４の内径（短い部分）より大きく形成されており、風除けガイド１１２の長孔１１４がピン１３０の頭部から抜けるのが防止される。
【０１０８】
カムフォロア１２４は、角部がＲ状に形成された略三角形状とされており、カムフォロア１２４の下端部に設けられた支持軸１２４Ａを中心にベース部１２２に回動可能に支持されている。カムフォロア１２４の中間部には、ベース部１２２との間にカムフォロア１２４を用紙搬送方向上流側（矢印Ａ方向と反対側）に付勢するバネ部材１２６が取り付けられている。ベース部１２２の側面には、カムフォロア１２４の用紙搬送方向上流側に突き当てピン１２８が設けられている。カムフォロア１２４は、バネ部材１２６に付勢された状態で突き当てピン１２８に当接している。この状態で、上面視にて風除けガイド１１２の横壁部１１２Ｃが、搬送ベルト７２上に吸着される用紙Ｐの先端部Ｐ１を覆っている（先端部Ｐ１を収容している）。言い換えると、上面視にて風除けガイド１１２の横壁部１１２Ｃと用紙Ｐの先端部Ｐ１とがオーバーラップしている。
【０１０９】
風除けガイド１１２の側壁部１１２Ｄには、長孔１１６が形成されており、長孔１１６の長径部が上下方向に沿って配置されている。カムフォロア１２４の中間部には、バネ部材１２６より用紙搬送方向下流側（矢印Ａ方向の側）に、カムフォロア１２４の幅方向内側に突出するピン１２４Ｂが設けられている。カムフォロア１２４のピン１２４Ｂは、風除けガイド１１２の長孔１１６に挿通された状態で長孔１１６内を移動可能とされている。ピン１２４Ｂの外径は、長孔１１６の幅方向（短い部分）の内径より若干小さく形成されている。
【０１１０】
カムフォロア１２４の上端部には、カムフォロア１２４の幅方向内側に突出する円柱状の当接部１２４Ｃが設けられている。図６に示されるように、搬送装置１１０には、所定の位置にカム１４０が固定されている。そして、カム１４０の下方側で、搬送ベルト７２が移動する構成とされている。カム１４０の上部には、用紙搬送方向上流側から下流側に向かって、水平方向に沿って配置される下側上面部１４０Ａと、下側上面部１４０Ａの端部から斜め上方側に向かって配置される傾斜面１４０Ｂと、傾斜面１４０Ｂの上端から水平方向に沿って配置される上側上面部１４０Ｃと、上側上面部１４０Ｃの端部から斜め下方側に向かって湾曲して配置される湾曲面１４０Ｄと、を備えている。
【０１１１】
図６及び図８に示されるように、搬送ベルト７２の矢印Ａ方向への走行によりベース部１２２が移動すると、カムフォロア１２４がカム１４０に接触する位置まで移動する。そして、バネ部材１２６によりカムフォロア１２４が突き当てピン１２８側に付勢された状態で、当接部１２４Ｃがカム１４０の下側上面部１４０Ａに当接する。さらに、ベース部１２２が矢印Ａ方向に移動すると、当接部１２４Ｃが傾斜面１４０Ｂを摺動しながら移動し、上側上面部１４０Ｃに当接する。当接部１２４Ｃが傾斜面１４０Ｂから上側上面部１４０Ｃに摺動しながら移動する過程で、カムフォロア１２４が支持軸１２４Ａを中心に用紙搬送方向下流側（矢印Ａ方向の側）に回動する。
【０１１２】
その際、図８に示されるように、カムフォロア１２４の用紙搬送方向下流側（矢印Ａ方向の側）への回動に伴い、カムフォロア１２４のピン１２４Ｂが風除けガイド１１２の長孔１１６を下方側に移動すると共に、風除けガイド１１２がベース部１２２の上面に沿って用紙搬送方向下流側（矢印Ａ方向の側）に移動する。これによって、図７及び図８に示されるように、風除けガイド１１２の横壁部１１２Ｃが用紙Ｐの先端部Ｐ１から離れる。この状態で、搬送ベルト７２からの用紙Ｐの排出（離脱）が可能となる。
【０１１３】
さらに、ベース部１２２が矢印Ａ方向に移動すると、当接部１２４Ｃが上側上面部１４０Ｃから湾曲面１４０Ｄに摺動しながら移動することで、バネ部材１２６の付勢力によりカムフォロア１２４が支持軸１２４Ａを中心に用紙搬送方向上流側（矢印Ａ方向と反対側）に回動する（図５及び図６参照）。そして、カムフォロア１２４がピン１２８に当接すると共に、当接部１２４Ｃがカム１４０から離れる。
【０１１４】
図９に示されるように、搬送装置１１０では、搬送ドラム６４から用紙Ｐが搬送ベルト７２に供給される位置にカム１５０が設けられ、用紙Ｐが搬送ベルト７２から排出（離脱）される位置にカム１４０が設けられている。カム１５０の上部には、用紙搬送方向上流側から下流側に向かって、下側上面部１４０Ａと、下側上面部１４０Ａの端部から上方側に傾斜する傾斜面１４０Ｂと、傾斜面１４０Ｂの上端に連続する上側上面部１４０Ｃと、上側上面部１４０Ｃの端部から下方側に傾斜する傾斜面１４０Ｅと、傾斜面１４０Ｅの下端と連続する下側上面部１４０Ｆと、を備えている。そして、カムフォロア１２４の当接部１２４Ｃがカム１５０の上側上面部１４０Ｃに当接することで、カムフォロア１２４が支持軸１２４Ａを中心に用紙搬送方向下流側（矢印Ａ方向の側）に回動する（図７及び図８参照）。
【０１１５】
このような搬送装置１１０では、搬送ドラム６４から用紙Ｐが搬送ベルト７２に供給される位置にカム１５０が設けられている。搬送ベルト７２の矢印Ａ方向への移動により、ベース部１２２がカム１５０の位置まで移動すると、カムフォロア１２４の当接部１２４Ｃがカム１５０の下側上面部１４０Ａから傾斜面１４０Ｂを摺動して上側上面部１４０Ｃに当接する（図８参照）。この過程で、カムフォロア１２４が支持軸１２４Ａを中心に用紙搬送方向下流側（矢印Ａ方向の側）に回動する。これによって、風除けガイド１１２の横壁部１１２Ｃが用紙Ｐの先端部Ｐ１と干渉しない位置に移動し、搬送ドラム６４からの用紙Ｐの供給が可能となる（図７及び図８）。このため、用紙Ｐの供給時に用紙Ｐの先端部Ｐ１が風除けガイド１１２の横壁部１１２Ｃと干渉することが防止される。
【０１１６】
搬送ベルト７２は、用紙Ｐの先端部Ｐ１を把持するグリッパ６４Ａが風除けガイド１１２の横壁部１１２Ｃ付近に回転したときに、グリッパ６４Ａが用紙Ｐの先端部Ｐ１を開放して搬送ベルト７２に用紙Ｐを供給するように、タイミングが設定されている（図７及び図８参照）。
【０１１７】
搬送ベルト７２に用紙Ｐが供給された後、カムフォロア１２４の当接部１２４Ｃがカム１５０の傾斜面１４０Ｅを摺動して下側上面部１４０Ｆに当接することで、バネ部材１２６の付勢力によりカムフォロア１２４が支持軸１２４Ａを中心に用紙搬送方向上流側（矢印Ａ方向と反対側）に回動する（図５及び図６参照）。これにより、風除けガイド１１２の横壁部１１２Ｃが、ベース部１２２に対して用紙搬送方向上流側に移動し、上面視にて搬送ベルト７２上に吸着される用紙Ｐの先端部Ｐ１の上方側を覆う（先端部Ｐ１を収容している）。すなわち、風除けガイド１１２の横壁部１１２Ｃの先端が、用紙Ｐの先端部Ｐ１のより奥側の位置に移動する。
【０１１８】
搬送ベルト７２に用紙Ｐが供給されると、チャンバ７４の吸引力により用紙Ｐが搬送ベルト７２上に吸着されて矢印Ａ方向に搬送される。その際、搬送ベルト７２上に吸着されて搬送される用紙Ｐの先端部Ｐ１の斜め上方側から用紙搬送方向上流側（矢印Ａと反対方向）に向かってインク乾燥ユニット９０の吹出口９０Ｂ（図２参照）から風（例えば熱風）が吹き付けられる。そのとき、図５に示されるように、風除けガイド１１２の横壁部１１２Ｃによって、吹出口９０Ｂからの風が用紙Ｐの先端部Ｐ１に当たることが抑制され、用紙Ｐの先端部Ｐ１が搬送ベルト７２から捲れることが抑制される。
【０１１９】
本実施形態では、風除けガイド１１２の横壁部１１２Ｃが、上面視にて搬送ベルト７２上に吸着される用紙Ｐの先端部Ｐ１の上方側を覆うと共に、風除けガイド１１２の横壁部１１２Ｃの先端が用紙Ｐの先端部Ｐ１のより奥側の位置に移動している。このため、風除けガイド１１２の横壁部１１２Ｃによる用紙Ｐの先端部Ｐ１での風除け面積が大きくなり、吹出口９０Ｂからの風により用紙Ｐの先端部Ｐ１が搬送ベルト７２から捲れることをより確実に抑制することができる。このため、インク乾燥ユニット９０の吹出口９０Ｂからの風（例えば熱風）の風速を十分高めることができる。
【０１２０】
さらに、図９に示されるように、用紙Ｐが搬送ベルト７２上に吸着されて搬送され、ベース部１２２がカム１４０の位置まで移動する。そして、図８に示されるように、カムフォロア１２４の当接部１２４Ｃがカム１４０の下側上面部１４０Ａから傾斜面１４０Ｂを摺動して上側上面部１４０Ｃに当接することで、カムフォロア１２４が支持軸１２４Ａを中心に用紙搬送方向下流側（矢印Ａ方向の側）に回動する。これによって、図７及び図８に示されるように、風除けガイド１１２の横壁部１１２Ｃが用紙Ｐの先端部Ｐ１から離れた位置に移動し、搬送ベルト７２からの用紙Ｐの排出（離脱）が可能となる。すなわち、用紙Ｐが搬送ベルト７２から排出（離脱）される際に用紙Ｐの先端部Ｐ１が風除けガイド１１２の横壁部１１２Ｃと干渉することが防止される。
【０１２１】
なお、風除けガイド１１２はクランク状でなくてもよく、インク乾燥ユニット９０の吹出口９０Ｂから風が用紙Ｐの先端部Ｐ１に当たるのを遮ることができる形状であれば、他の形状に変更可能である。
【０１２２】
〔第３実施形態〕
次に、図１０を用いて、本発明の第３実施形態に係るインクジェット記録装置に用いられる搬送装置について説明する。なお、前述した第１及び第２実施形態と同一構成部分については、同一番号を付してその説明を省略する。
【０１２３】
図１０に示されるように、本実施形態の搬送装置２００は、用紙Ｐを吸着して搬送する搬送ベルト７２と、搬送ベルト７２上を搬送される用紙Ｐを風（例えば熱風）により乾燥処理する乾燥手段の一例としてのインク乾燥ユニット２０２と、搬送ベルト７２上を搬送される用紙Ｐの搬送方向の後端部Ｐ２側を覆う（遮蔽する）風除けガイド２０４と、を備えている。さらに、搬送装置２００は、第１ローラ７６Ａを駆動するモータ２１０と、モータ２１０の駆動を制御する制御手段としての制御部２１２と、を備えている。
【０１２４】
インク乾燥ユニット２０２は、搬送ベルト７２上に吸着されて搬送される用紙Ｐに斜め上方から用紙搬送方向下流側（矢印Ａ方向の側）に向かって風を吹き付ける吹出口２０２Ａを備えている。本実施形態では、インク乾燥ユニット２０２は、用紙搬送方向（矢印Ａ方向）に沿って４個設けられている。
【０１２５】
風除けガイド２０４は、側面視にて略クランク状に形成されており、上部側の横壁部が用紙搬送方向下流側（矢印Ａ方向の側）に向かって延びている。風除けガイド２０４は、搬送ベルト７２に所定の間隔で複数設けられている。
【０１２６】
制御部２１２は、用紙Ｐの搬送方向の長さに基づき、用紙Ｐの後端部Ｐ２の位置に風除けガイド２０４を合わせるように搬送ベルト７２の移動位置を制御する。本実施形態では、例えば給紙台３０（図１参照）に設けられた図示しないセンサによって用紙Ｐの搬送方向の長さを検出する。そして、搬送ドラム６４から用紙Ｐを搬送ベルト７２に供給するときに、風除けガイド２０４の用紙方向下流側付近に用紙Ｐの後端部Ｐ２が配置されるように、搬送ベルト７２の移動タイミングが制御される。すなわち、搬送ベルト７２に供給される用紙Ｐの後端部Ｐ２の位置に風除けガイド２０４を合わせるように、搬送ベルト７２の移動タイミングが制御される。
【０１２７】
このような搬送装置２００では、制御部２１２によって搬送ベルト７２の移動タイミングが制御されることで、搬送ドラム６４から用紙Ｐが搬送ベルト７２に供給されたときに、風除けガイド２０４の用紙方向下流側付近に用紙Ｐの後端部Ｐ２が配置される。搬送ベルト７２に用紙Ｐが供給されると、チャンバ７４の吸引力により用紙Ｐが搬送ベルト７２上に吸着されて矢印Ａ方向に搬送される。その際、搬送ベルト７２上に吸着されて搬送される用紙Ｐの後端部Ｐ２の斜め上方側から用紙搬送方向下流側（矢印Ａ方向の側）に向かって、インク乾燥ユニット２０２の吹出口２０２Ａから風（例えば熱風）が吹き付けられる。そのとき、風除けガイド２０４の横壁部が、用紙Ｐの後端部Ｐ２側を覆うように配置されており、風除けガイド２０４の横壁部の先端が、インク乾燥ユニット２０２の吹出口２０２Ａから吹き付けられる風と用紙Ｐの後端部Ｐ２との間に介在されている。これにより、風除けガイド２０４によって、吹出口２０２Ａから用紙Ｐの後端部Ｐ２に向かう風が遮られる。このため、吹出口２０２Ａからの風が用紙Ｐの後端部Ｐ２に当たることが抑制され、用紙Ｐの後端部Ｐ２が搬送ベルト７２から捲れることが抑制される。このため、インク乾燥ユニット２０２の吹出口２０２Ａからの風（例えば熱風）の風速を十分高めることができる。
【０１２８】
＜その他＞
以上、本発明の実施例について記述したが、本発明は上記の実施例に何ら限定されるものではなく、本発明の要旨を逸脱しない範囲において種々なる態様で実施し得ることは言うまでもない。
【０１２９】
なお、第２実施形態では、移動装置１２０にカムを設け、カムフォロアの当接部を当接させることで、風除けガイドを用紙搬送方向に移動させたが、これに限定されるものではない。風除けガイドを用紙搬送方向に移動させるために、例えば、ソレノイド、アクチュエータ、モータなどの移動手段を用いてもよい。
【０１３０】
なお、第３実施形態では、風除けガイド２０４が搬送ベルト７２に固定されているが、これに限定されず、風除けガイドが搬送ベルト７２に対して用紙搬送方向に移動可能に設けられる構成でもよい。この場合、搬送ベルト７２に用紙が供給される位置、又は搬送ベルト７２から用紙が排出（離脱）される位置において、風除けガイドが用紙搬送方向上流側（矢印Ａ方向と反対側）に移動することで、用紙Ｐの後端部Ｐ２と風除けガイドとの干渉を防止することが可能となる。
【０１３１】
なお、第１〜第３実施形態では、風除けガイドは、用紙の搬送方向の少なくとも一方の端部を覆い、インク乾燥ユニットからの風を遮る構成であるが、用紙の搬送方向両側の端部を覆うように前後一対の風除けガイドを設け、風除けガイドを用紙搬送方向に移動可能とする構成でもよい。
【０１３２】
なお、第１〜第３実施形態では、用紙を吸着して搬送する搬送ベルトが用いられているが、これに代えて、例えば、用紙を吸着して搬送するドラムなどの搬送部材を用いてもよい。
【符号の説明】
【０１３３】
１０   インクジェット記録装置（画像形成装置）
５６Ｃ、５６Ｍ、５６Ｙ、５６Ｋ     インクジェットヘッド（吐出ヘッド）
７０   搬送装置
７２   搬送ベルト（搬送部材）
８０   風除けガイド
８０Ｃ       横壁部（先端）
９０   インク乾燥ユニット（乾燥手段）
９０Ｂ 吹出口
１１０ 搬送装置
１１２ 風除けガイド
１１２Ｃ      横壁部（先端）
１２０ 移動装置（移動手段）
１２４ カムフォロア（移動手段）
１２６ バネ部材（移動手段）
１４０ カム（移動手段）
１５０ カム（移動手段）
２００ 搬送装置
２０２ インク乾燥ユニット（乾燥手段）
２０２Ａ      吹出口
２０４ 風除けガイド
２１０ モータ
２１２ 制御部（制御手段）
Ｐ     用紙（記録媒体）
Ｐ１   先端部
Ｐ２   後端部
【図１】
2014040053.tif 000003
【図４】
2014040053.tif 000004
【図５】
2014040053.tif 000005
【図６】
2014040053.tif 000006
【図７】
2014040053.tif 000007
【図８】
2014040053.tif 000008
【図９】
2014040053.tif 000009
【図１０】
2014040053.tif 000010
【図２】
2014040053.tif 000011
【図３】
2014040053.tif 000012